【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
少なくとも第１インク及び第２インクを含むインクジェットインクセットであって、
ａ）前記第１インクが、ビヒクルと、少なくとも１つの反応性カルボニル基を有する反応性カルボニル基含有種とを含み、
ｂ）前記第２インクが、ビヒクルと、少なくとも１つの反応性アミン基を有する反応性アミン基含有種とを含むことを特徴とするインクジェットインクセット。
【請求項２】
前記第１インクが、少なくとも２つの反応性カルボニル基を有する反応性カルボニル基含有種を含み、及び／又は前記第２インクが、少なくとも２つの反応性アミン基を有する反応性アミン基含有種を含むことを特徴とする請求項１に記載のインクセット。
【請求項３】
前記第１及び第２インクの１つ又は両方が着色剤を含むことを特徴とする請求項１又は２に記載のインクセット。
【請求項４】
前記反応性カルボニル基含有種及び前記反応性アミン基含有種は、添加剤として独立して存在するか、又は顔料上に吸着された分散剤の形態若しくは前記顔料に化学的に結合した種の形態で、着色剤と結び付いていることを特徴とする請求項１に記載のインクセット。
【請求項５】
第３及び第４インクを更に含み、
ａ）前記第３及び第４インクが、各々独立して、少なくとも１つの反応性カルボニル基を有する反応性カルボニル基含有種を含み、
ｂ）前記第１、第３、及び第４インクが着色剤を含み、及び
ｃ）前記第２インクが実質的に無色であることを特徴とする請求項１に記載のインクセット。
【請求項６】
前記第１、第３、及び第４インクが、シアン、イエロー、及びマゼンタ着色インクであることを特徴とする請求項５に記載のインクセット。
【請求項７】
前記反応性カルボニル基含有種が、次のようなＣ１〜Ｃ８：
（Ｃ１）  −Ｃ（＝Ｏ）Ｒ1
（Ｃ２）  −Ｃ（＝Ｏ）Ｈ
（Ｃ３）  −Ｘ−（ＥＷＤ）−Ｃ（Ｒ2）Ｈ−Ｃ（＝Ｏ）−Ｒ2
（Ｃ４）  （ＥＷＤ）−ＣＨ−Ｃ（＝Ｏ）−Ｒ2
（Ｃ５）  −Ｃ（＝ＮＲ1）Ｒ1
（Ｃ６）  −Ｃ＝Ｃ（ＮＲ3Ｒ3）Ｒ1
（Ｃ７）  −Ｃ（−ＯＲ4）2Ｒ1
（Ｃ８）  −Ｃ（−ＯＲ4）2Ｈ
で表された種のいずれか１つ又は組み合わせであり、前記反応性アミン基含有種が、次のようなＡ１〜Ａ５：
（Ａ１）  Ｒ−ＮＨ−ＮＨ2
（Ａ２）  Ｒ−Ｃ（＝Ｏ）−ＮＨ−ＮＨ2
（Ａ３）  Ｒ’’Ｒ’Ｃ＝Ｎ−ＮＨ2
（Ａ４）  Ｒ−ＮＨ−Ｃ（＝Ｏ）−ＮＨ−ＮＨ2
（Ａ５）  Ｒ’’’ＮＨ−ＮＨ−Ｃ（＝Ｏ）−ＮＨ−ＮＨ2
で表された種のいずれか１つ又は組み合わせであり、
式中、Ｒ1＝Ｃ1〜Ｃ10アルキル、又はアリール基であり
Ｒ2＝Ｃ1〜Ｃ10アルキル、又はアリール基、又はＨであり
Ｒ3＝Ｃ1〜Ｃ10アルキル、又はアリール基、又は環の一部であり、
Ｒ4＝Ｃ1〜Ｃ10アルキル、又は環の一部であり、
Ｒ、Ｒ’、及びＲ’’＝多官能性反応性アミン種へのアルキル又はアリール連結であり、
Ｒ’’’＝Ｈ、又は多官能性反応性アミン種へのアルキル若しくはアリール連結であり、及び
ＥＷＤ＝電子求引基であることを特徴とする
請求項１〜６のいずれか一項に記載のインクセット。
【請求項８】
基材上にインクジェット印刷するための方法であって、
（ａ）デジタルデータ信号に応答するインクジェットプリンターを提供することと、
（ｂ）印刷される基材を前記プリンターに搭載することと、
（ｃ）請求項１〜７のいずれか一項に記載されたインクを前記プリンターに搭載することと、
（ｄ）前記デジタルデータ信号に応答して、前記インク又はインクジェットインクセットを使用して前記基材上に印刷することと、
を含むことを特徴とする方法。
【請求項９】
前記基材上への印刷が、反応性カルボニル基含有種を含むインクと反応性アミン基含有種を含むインクとの間に、少なくとも幾らかの重なり合う印刷区域を包含することを特徴とする請求項８に記載の方法。
【請求項１０】
反応性カルボニル基含有種と反応性アミン基含有種との反応を促進するために、前記印刷された基材を加熱する工程を更に含むことを特徴とする請求項８に記載の方法。
【手続補正２】
【補正対象書類名】明細書
【補正対象項目名】０１４５
【補正方法】変更
【補正の内容】
【０１４５】
本発明の趣旨及び範囲から逸脱することなく、本発明の組成物及びインクセットの様々な他の修正、変更、追加、又は置換が当業者には明らかであろう。本発明は、本明細書に記載された実施形態によって制限されず、むしろ特許請求の範囲によって定義される。
本明細書に記載の発明につき以下、列記する。
１．
少なくとも第１インク及び第２インクを含むインクジェットインクセットであって、
ａ）前記第１インクが、ビヒクルと、少なくとも１つの反応性カルボニル基を有する反応性カルボニル基含有種とを含み、
ｂ）前記第２インクが、ビヒクルと、少なくとも１つの反応性アミン基を有する反応性アミン基含有種とを含むことを特徴とするインクジェットインクセット。
２．
前記第１インクが、少なくとも２つの反応性カルボニル基を有する反応性カルボニル基含有種を含み、及び／又は前記第２インクが、少なくとも２つの反応性アミン基を有する反応性アミン基含有種を含むことを特徴とする前記１．に記載のインクセット。
３．
前記第１及び第２インクの１つ又は両方が着色剤を含むことを特徴とする前記１．又は２．に記載のインクセット。
４．
前記カルボニル基含有種及び前記反応性アミン基含有種は、添加剤の形態で独立して存在するか、及び／又は顔料着色剤上に吸着された分散剤の形態若しくは前記着色剤に化学的に結合した種の形態で、着色剤と結び付いている。
５．
第３及び第４インクを更に含み、
ａ）前記第３及び第４インクが、各々独立して、少なくとも１つの反応性カルボニル基を有する反応性カルボニル基含有種を含み、
ｂ）前記第１、第３、及び第４インクが着色剤を含み、及び
ｃ）前記第２インクが実質的に無色であることを特徴とする前記１．に記載のインクセット。
６．
前記第３及び第４インクが、各々独立して、少なくとも２つの反応性カルボニル基を有する反応性カルボニル基含有種を含むことを特徴とする前記５．に記載のインクセット。
７．
第３及び第４インクを更に含み、
ａ）前記第３及び第４インクが、各々独立して、少なくとも１つの反応性アミン基を有する反応性アミン基含有種を含み、
ｂ）前記第２、第３、及び第４インクが着色剤を含み、及び
ｃ）前記第１インクが実質的に無色であることを特徴とする前記１．に記載のインクセット。
８．
前記第３及び第４インクが、各々独立して、少なくとも２つの反応性カルボニル基を有する反応性カルボニル基含有種を含むことを特徴とする前記７．に記載のインクセット。
９．
前記第１、第３、及び第４インクが、シアン、イエロー、及びマゼンタ着色インクであることを特徴とする前記５．〜８．のいずれか一項に記載のインクセット。
１０．
前記反応性カルボニル基含有種が、次のようなＣ１〜Ｃ８：
（Ｃ１）  −Ｃ（＝Ｏ）Ｒ1
（Ｃ２）  −Ｃ（＝Ｏ）Ｈ
（Ｃ３）  −Ｘ−（ＥＷＤ）−Ｃ（Ｒ2）Ｈ−Ｃ（＝Ｏ）−Ｒ2
（Ｃ４）  （ＥＷＤ）−ＣＨ−Ｃ（＝Ｏ）−Ｒ2
（Ｃ５）  −Ｃ（＝ＮＲ1）Ｒ1
（Ｃ６）  −Ｃ＝Ｃ（ＮＲ3Ｒ3）Ｒ1
（Ｃ７）  −Ｃ（−ＯＲ4）2Ｒ1
（Ｃ８）  −Ｃ（−ＯＲ4）2Ｈ
で表された種のいずれか１つ又は組み合わせであり、前記反応性アミン基含有種が、次
のようなＡ１〜Ａ５：
（Ａ１）  Ｒ−ＮＨ−ＮＨ2
（Ａ２）  Ｒ−Ｃ（＝Ｏ）−ＮＨ−ＮＨ2
（Ａ３）  Ｒ’’Ｒ’Ｃ＝Ｎ−ＮＨ2
（Ａ４）  Ｒ−ＮＨ−Ｃ（＝Ｏ）−ＮＨ−ＮＨ2
（Ａ５）  Ｒ’’’ＮＨ−ＮＨ−Ｃ（＝Ｏ）−ＮＨ−ＮＨ2
で表された種のいずれか１つ又は組み合わせであり、
式中、Ｒ1＝Ｃ1〜Ｃ10アルキル、又はアリール基であり
Ｒ2＝Ｃ1〜Ｃ10アルキル、又はアリール基、又はＨであり
Ｒ3＝Ｃ1〜Ｃ10アルキル、又はアリール基、又は環の一部であり、
Ｒ4＝Ｃ1〜Ｃ10アルキル、又は環の一部であり、
Ｒ、Ｒ’、及びＲ’’＝多官能性反応性アミン種へのアルキル又はアリール連結であり、
Ｒ’’’＝Ｈ、又は多官能性反応性アミン種へのアルキル若しくはアリール連結であり、及び
ＥＷＤ＝電子求引基であることを特徴とする
前記１．〜９．のいずれか一項に記載のインクセット。
１１．
基材上にインクジェット印刷するための方法であって、
（ａ）デジタルデータ信号に応答するインクジェットプリンターを提供することと、
（ｂ）印刷される基材を前記プリンターに搭載することと、
（ｃ）前記１．〜１０．のいずれか一項に記載されたインクを前記プリンターに搭載することと、
（ｄ）前記デジタルデータ信号に応答して、前記インク又はインクジェットインクセットを使用して前記基材上に印刷することと、
を含むことを特徴とする方法。
１２．
前記基材上への印刷が、反応性カルボニル基含有種を含むインクと反応性アミン基含有種を含むインクとの間に、少なくとも幾らかの重なり合う印刷区域を包含することを特徴とする前記１１．に記載の方法。
１３．
反応性カルボニル基含有種と反応性アミン基含有種との反応を促進するために、前記印刷された基材を加熱する工程を更に含むことを特徴とする前記１１．に記載の方法。